(57)【要約】  【課題】  食肉の筋を効率的に切断するとともに、加工された肉片が刃物に付着して作業性を低下させることを防止する。  【解決手段】  下端に刃を形成した細板形状の刃物２３を縦横方向に適間隔を置いて垂設した刃物台２４と、刃物台２４を昇降自在に支持するスライドシャフト２，３とスライドブッシュとからなる刃物台支持機構と、刃物台２４を昇降駆動するクランク機構１４，１５からなる刃物台駆動機構と、刃物台２４の下方に刃物２３の間に上下方向進退自在に配置された複数の案内板３１と、案内板３１を昇降自在に支持するスライドシャフト２，３とスライドブッシュとからなる案内板支持機構と、案内板３１を昇降駆動するクランク機構１４，１５からなる案内板駆動機構と、刃物台２４および案内板３１の下方に配設された加工台３８とを備える。【選択図】  図１
2006175566.tif 000002
【特許請求の範囲】
【請求項１】
下端に刃を形成した細板形状の刃物を縦横方向に適間隔を置いて垂設した刃物台と、
該刃物台を昇降自在に支持する刃物台支持機構と、
前記刃物台を昇降駆動する刃物台駆動機構と、
前記刃物台の下方に前記刃物の間に上下方向進退自在に配置された複数の案内板と、
該案内板を昇降自在に支持する案内板支持機構と、
前記案内板を昇降駆動する案内板駆動機構と、
前記刃物台および前記案内板の下方に配設された加工台と、
を備えたことを特徴とする食肉加工機。
【請求項２】
請求項１に記載の食肉加工機において、
前記刃物台駆動機構による刃物台の昇降周期と前記案内板駆動機構による案内板の昇降周期を同一にするとともに、刃物台の昇降位相よりも案内板の昇降位相を遅らせて刃物台が上昇する時に案内板が下降するようにしたことを特徴とする食肉加工機。
【請求項３】
請求項１または２に記載の食肉加工機において、
前記加工台に昇降機構を設けて、加工台の高さを調節可能にしたことを特徴とする食肉加工機。
【請求項４】
請求項１乃至３のいずれかに記載の食肉加工機において、
前記刃物台駆動機構と前記案内板支持機構を前記刃物台の両側に門形に配設されたスライドシャフトとスライドブッシュにより構成するとともに、前記刃物台駆動機構および前記案内板駆動機構をそれぞれクランク機構により構成したことを特徴とする食肉加工機。
【発明の詳細な説明】
【技術分野】
【０００１】
本発明は、食肉加工機に関し、詳しくは、トンカツの調理の際に材料の豚肉の筋を効率良く切断することを可能にした食肉加工機に関する。
【背景技術】
【０００２】
トンカツの調理の際には、材料の豚肉を一定厚みにスライスした後、肉の内部にある筋を切断することが必要であった。この筋を切断する作業は、包丁の先端を肉に切り込むことでも可能であるが、それでは大量に処理する場合には非能率的であるため、従来は特許文献１に記載の「食肉軟化用機械」等が使用されていた。これは多数の刃を適間隔で垂設した刃物をハンドル操作により下降させ、刃物の下方に置いておいた肉片中に突き刺すことで、肉片中の筋を効率よく切断することができた。
【特許文献１】実開昭５６−１８０７９号公報
【発明の開示】
【発明が解決しようとする課題】
【０００３】
上述した「食肉軟化用機械」は、台の上に並べておいた複数の肉片を同時に加工することができて、能率的であった。しかしながら、動力が人間の腕であり、連続操作すると作業者が疲労するため、大量に処理する場合には不向きであった。また、加工の際に、下降してきた刃に突き刺さった肉片が、刃が上昇して戻る際に、刃先に付着して一緒に、上昇することがあり、作業性が良くなかった。そこで、本発明は、大量に処理する場合に作業者が疲労することを解消するとともに、加工された肉片が刃物に付着して作業性を低下させることを防止した食肉加工機を提案することを目的とした。
【課題を解決するための手段】
【０００４】
上記課題を解決するために、本発明は、下端に刃を形成した細板形状の刃物を縦横方向に適間隔を置いて垂設した刃物台と、該刃物台を昇降自在に支持する刃物台支持機構と、
前記刃物台を昇降駆動する刃物台駆動機構と、前記刃物台の下方に前記刃物の間に上下方向進退自在に配置された複数の案内板と、該案内板を昇降自在に支持する案内板支持機構と、前記案内板を昇降駆動する案内板駆動機構と、前記刃物台および前記案内板の下方に配設された加工台とを備えたことを特徴とする。
【０００５】
ここで、前記刃物台駆動機構による刃物台の昇降周期と前記案内板駆動機構による案内板の昇降周期を同一にするとともに、刃物台の昇降位相よりも案内板の昇降位相を遅らせて刃物台が上昇する時に案内板が下降するようにすることが必要である。
また、前記加工台に昇降機構を設けて、加工台の高さを調節可能にすることが好ましい。
なお、前記刃物台駆動機構と前記案内板支持機構を前記刃物台の両側に門形に配設されたスライドシャフトとスライドブッシュにより構成するとともに、前記刃物台駆動機構および前記案内板駆動機構をそれぞれクランク機構により構成することが可能である。
【発明の効果】
【０００６】
以上述べたように本発明によれば、刃物台を昇降駆動するための刃物台駆動機構を設けたことで、作業者への労力の負担が軽減され、連続大量の食肉加工が可能になる。また、刃物台の間に案内板を配置しておいて、刃物台が下降して切断加工をした後、上昇するときに、案内板を下降させることで、加工された食肉が刃物に付着して上昇することが防止でき、作業性が向上する。さらに、本発明は、厚みを通常のトンカツの数倍以上にした特注のトンカツについても、内部の筋を確実に切断することを可能とした。
【発明を実施するための最良の形態】
【０００７】
以下、図に基づいて本発明の実施形態を説明する。
図１は本発明に係る食肉加工機の正面図であり、図２は図１の右側面図であり、図３は図１のＡ−Ａ線の拡大断面図であり、図４は図３のＢ−Ｂ線断面図である。図１および図２に示されるように、基台１の上面の前端よりの左右に、２本のスライドシャフト２，３が門形に立設され、その上端がバー４に接続されている。スライドシャフト２，３にはそれぞれ上下２段にスライドブッシュが嵌装され、上段のスライドブッシュにはスティ５が架設され、下段のスライドブッシュにはスティ６が架設されている。
【０００８】
スティ５の両端には、ロッドエンドベアリング７，８を介して、ロッド１１，１２が接続されている。ロッド１１，１２の下端は、駆動軸１３の両端に設けられたクランク機構１４，１５に連結されている。同様に、スティ６の両端には、ロッドエンドベアリング１６，１７を介して、ロッド１８，１９が接続されている。ロッド１８，１９の下端は、駆動軸１３の両端に設けられたクランク機構１４，１５に連結されている。駆動軸１３がモータ２１にベルト駆動されて回転することにより、クランク機構１４，１５に連結されたロッド１１，１２およびロッド１８，１９が昇降駆動される。なお、駆動軸１３には、フライホイール２２が取り付けられている。
【０００９】
スティ５の中央部分の下側には、図３および図４に示されるように、下端に刃を形成した細板形状の多数の刃物２３を適間隔で垂設した刃物台２４が、取付板２５，２６を介してノブ２８，２９により、着脱自在に取り付けられている。刃物２３は、スティ５の長手方向と平行に、等間隔に配置され、それら刃物２３が、等間隔で８列に配置されて刃物台２４に支持されている。刃物２３の列と列の間および両外側には、９枚の案内板３１が上下方向進退自在に配設されている。これら案内板３１は、取付板３２〜３５により、スティ６に取り付けられている。これら案内板３１は、取り外して洗浄することがあるので、プラスチック板であることが好ましい。
【００１０】
さらに、刃物２３の下方であって、基台１の上面には、レベル調整用ねじ３６，３７を介して加工台３８が支持されている。加工台３８の上には、まな板３９が前後方向に移動自在に載置され、まな板３９の上には、所定厚さにスライスされた豚肉Ｍが並べられる。
次に、このように構成された食肉加工機の使用方法について説明する。刃物２３と案内板３１は、それぞれスティ５とスティ６とにより支持されているため、モータ２１が起動されると、クランク機構１４，１５により、昇降動作を繰り返す。このとき、スティ５の昇降動作に対して、スティ６は略９０度遅れて追随するように設定しておく。
【００１１】
この状態で、まな板３９に、豚肉Ｍを並べてから、加工台３８の上を前後方向に移動して、刃物２３と案内板３１が上昇している間に、豚肉Ｍを刃物２３の下方へ移動して、その位置を保持する。すると、先に、刃物２３が下降して豚肉Ｍを突き刺し、再び上昇を開始すると、案内板３１が下降して、刃物２３に突き刺されている豚肉Ｍを下方へ押し戻し、豚肉Ｍが刃物２３に付着して上昇することが阻止される。
【００１２】
次に、案内板３１が上昇して、刃物２３および案内板３１がともに上昇している間に、まな板３９を移動して、未加工の豚肉Ｍを、刃物２３の下方へ移動する。これらの動作を繰り返すことで、豚肉Ｍに刃物２３が貫通されて、内部の筋が切断される。なお、豚肉Ｍ内の筋をより細かく切断したい場合は、豚肉Ｍを裏返しして、反対方向からも処理加工することが可能である。さらには、これら処理加工を２度以上繰り返すことも可能である。
【００１３】
図５は、刃物２３と案内板３１の下端の位置の変動を示す説明図であり、刃物２３に対して、案内板３１は、略９０度遅れて追随する。また、刃物２３のストロークよりも、案内板３１のストロークは小さく、しかも、案内板３１の最下位は、刃物２３の最下位よりも上方に位置している。この案内板３１の最下位と刃物２３の最下位との差ｔが、この食肉加工機の処理加工可能な豚肉Ｍの肉厚となる。しかし、豚肉Ｍの表面と裏面を別々に処理加工すれば、差ｔの２倍の厚みまで処理加工可能となる。
【００１４】
図６〜図８は、刃物２３の先端の形状を示す拡大図である。図６の刃物２３Ａは先端の
形状をフラットにしたものである。図７の刃物２３Ｂは先端の形状を斜めにしたものである。図８の刃物２３Ｃは先端の形状を中央部分が後退したＭ字形にしたものである。これらの刃物２３Ａ〜２３Ｃは、先端の片側を斜めに削除した片刃であるが、両側を斜めに削除した両刃にすることも可能である。
【産業上の利用可能性】
【００１５】
本発明は、トンカツ用の豚肉の筋を切断加工する以外に、ステーキ用の牛肉の筋を切断加工する場合にも利用可能である。
【図面の簡単な説明】
【００１６】
【図１】本発明に係る食肉加工機の正面図である。
【図２】図１の右側面図である。
【図３】図１のＡ−Ａ線の拡大断面図である。
【図４】図３のＢ−Ｂ線断面図である。
【図５】刃物と案内板の下端の位置の変動を示す説明図である。
【図６】刃物の先端の形状を示す拡大図である。
【図７】刃物の先端の形状を示す拡大図である。
【図８】刃物の先端の形状を示す拡大図である。
【符号の説明】
【００１７】
１  基台
２，３  スライドシャフト
４  バー
５，６  スティ
７，８  ロッドエンドベアリング
１１，１２  ロッド
１３  駆動軸
１４，１５  クランク機構
１６，１７  ロッドエンドベアリング
１８，１９  ロッド
２１  モータ
２２  フライホイール
２３  刃物
２３Ａ  刃物
２３Ｂ  刃物
２３Ｃ  刃物
２４  刃物台
２５，２６  取付板
２８，２９  ノブ
３１  案内板
３２〜３５  取付板
３６，３７  レベル調整用ねじ
３８  加工台
３９  まな板
Ｍ  豚肉
ｔ  差
【図１】
2006175566.tif 000003
【図２】
2006175566.tif 000004
【図３】
2006175566.tif 000005
【図４】
2006175566.tif 000006
【図５】
2006175566.tif 000007
【図６】
2006175566.tif 000008
【図７】
2006175566.tif 000009
【図８】
2006175566.tif 000010